(57)【要約】      （修正有）【課題】布団等の収納品を均等に圧縮することができる圧縮収納箱において、立体収納袋のみを交換できる圧縮収納箱を提供する。【解決手段】箱本体２は、平面視矩形の底板体１３の左右辺から連続し、該左右辺からそれぞれ折り曲げ可能な、立起状態で側面視矩形の左右側板体１４、前記底板体１３の前後辺から連続し、該前後辺からそれぞれ折り曲げ可能な、立起状態で正面視矩形の前後側板体１５と、前記左右側板体１４を着脱可能に接続する着脱手段４とからなる。さらに、前記箱本体２の底板体１３に内側から添う保形性底板２１、該底板の左右辺から連続し、該左右辺からそれぞれ折り曲げ可能な、前記箱本体の左右側板体１４に内側から添う保形性左右側板２２とからなる支持板５と、前記圧縮式収納袋１の袋本体２の底面８を平坦に保持した状態で前記支持板５に取り付ける取付手段６と、を備える。【選択図】図２
0003153067.tif 000002
【実用新案登録請求の範囲】
【請求項１】
上部を開閉可能とし、底面が平坦な立体的な袋本体を吸引によって圧縮可能な圧縮式収納袋並びに該収納袋を収容する上面開口部を有する箱本体及び前記開口部を塞ぐ蓋体とからなる圧縮収納箱であって、
前記箱本体が、平面視矩形の底板体、該底板体の左右辺から連続し、該左右辺からそれぞれ折り曲げ可能な、立起状態で側面視矩形の左右側板体、前記底板体の前後辺から連続し、該前後辺からそれぞれ折り曲げ可能な、立起状態で正面視矩形の前後側板体と、前記左右側板体の側辺及び前後側板体の側辺を、着脱可能に接続する着脱手段とからなり、
前記箱本体の底板体に内側から添う保形性底板、該底板の左右辺から連続し、該左右辺からそれぞれ折り曲げ可能な、前記箱本体の左右側板体に内側から添う保形性左右側板とからなる支持板と、
前記圧縮式収納袋の袋本体の底面を平坦に保持した状態で前記支持板に取り付ける取付手段と、
を備えた圧縮収納箱。
【請求項２】
取付手段が、圧縮式収納袋の袋本体の底面の中央部に、取付シートを重ね合わせ、左右辺を開放した状態で、前後辺に沿って止着された請求項１記載の圧縮収納箱。
【請求項３】
着脱手段が、箱体の前記左右側板体の側辺及び前後側板体の側辺を、面ファスナーにて着脱自在とされた請求項１又は２記載の圧縮収納箱。
【請求項４】
上部を開閉可能とし、底面が平坦な立体的な袋本体を吸引によって圧縮可能な圧縮式収納袋並びに該収納袋を収容する上面開口部を有する箱本体及び前記開口部を塞ぐ蓋体とからなる圧縮収納箱であって、
前記箱本体が、平面視矩形の底板体、該底板体の左右辺から連続し、該左右辺からそれぞれ折り曲げ可能な、立起状態で側面視矩形の左右側板体、前記底板体の前後辺から連続し、該前後辺からそれぞれ折り曲げ可能な、立起状態で正面視矩形の前後側板体と、前記左右側板体の側辺及び前後側板体の側辺を、着脱可能に接続する着脱手段とからなり、
前記箱本体の底板体に内側から添う保形性底板、該底板の左右辺から連続し、該左右辺からそれぞれ折り曲げ可能な、前記箱本体の左右側板体に内側から添う保形性左右側板とからなる支持板と、
前記圧縮式収納袋の袋本体の底面を平坦に保持した状態で前記支持板に取り付ける取付手段と、
圧縮式収納袋の袋本体の底面に取付手段にて取り付けられた支持板の保形性左右側板を、箱本体の左右側板体に取り付ける保持手段と、
を備えた圧縮収納箱。
【請求項５】
箱本体の底板体と左右側板体に可撓性シート体を用い、前後側板体に保形性板体を用いた請求項４記載の圧縮収納箱。
【請求項６】
取付手段が、圧縮式収納袋の袋本体の底面の中央部に、取付シートを重ね合わせ、左右辺を開放した状態で、前後辺に沿って止着された請求項４又は５記載の圧縮収納箱。
【請求項７】
着脱手段が、箱体の左右側板体の側辺及び前後側板体の側辺を、面ファスナーにて着脱自在とされた請求項４又は５又は６記載の圧縮収納箱。
【請求項８】
保持手段が、箱本体の左右側板体内面に合わせて、保持シートを重ね合わせ、左右辺以外の周囲を止着することにより、支持板の左右側板体を収納可能な、袋部としてなる請求項４又は５又は６又は７記載の圧縮収納箱。
【考案の詳細な説明】
【技術分野】
【０００１】
本考案は、布団や毛布や衣類等の収納品を圧縮して保管することができる圧縮収納箱の改良に関するものである。
【背景技術】
【０００２】
従来から、布団等の収納品を圧縮して保管するのに、圧縮式収納袋と収納ケースとよりなる圧縮収納箱が用いられており、例えば、圧縮式収納袋内に収納品を収納した後、掃除機を利用して吸引し、圧縮してコンパクトな状態としたものを、収納ケース内に入れて保管するものがある。
【０００３】
より具体的には、圧縮収納箱としては、立体収納袋１にチャック１１で構成された開口部があり、袋本体に単一方向の吸気バルブ１２が設けられ、袋本体の封じる底部は立体形態である平坦な底部及び広い面を呈し、硬質板１３が結び付けられ、硬質板１３の両側にバックルユニット１４が設けられているので収納品を収納袋１の中に収納して真空で空気を抽出してから硬質板１３の両側を折り畳み、２枚の側板１３１になってバックルをかけてから大きさが相応しい収納ボックス２の中に入れるもの（例えば、特許文献１参照。）がある。
【先行技術文献】
【特許文献】
【０００４】
【特許文献１】登録実用新案第３１０４４２７号公報（図１−５）
【考案の概要】
【考案が解決しようとする課題】
【０００５】
しかし、特許文献１のような圧縮収納箱では、立体収納袋１が破けた場合には、立体収納袋１の底部には、硬質板１３やバックルユニット１４が結び付けられて固定されているので、これら全体を交換する必要があり、経済性に欠けるものである。実際には、硬質板１３やバックルユニット１４を有する立体収納袋１は、圧縮収納箱の主要部分をなしているため、特に、別売はされておらず、圧縮収納箱全体を買い直す必要があった。
また、特許文献１のような圧縮収納箱では、立体収納袋１内に布団などの収納品を収納して圧縮した後、バックルユニット１４で固定したものを、軟質なシートでできた四角形のボックス本体２２内に入れるのであるが、圧縮された収納品は歪な形となってしまい、収納ボックス２内へうまく収納することができないといった問題点があった。
【０００６】
そこで本考案が前述の状況に鑑み、解決しようとするところは、立体収納袋が破けた場合には、立体収納袋のみを交換することができ、また、収納ケースの形状にあわせて、布団等の収納品を均等かつコンパクトな形状に圧縮することができる圧縮収納箱を提供する点にある。
【課題を解決するための手段】
【０００７】
本考案に係る圧縮収納箱は、前記課題解決のために、
上部を開閉可能とし、底面が平坦な立体的な袋本体を吸引によって圧縮可能な圧縮式収納袋並びに該収納袋を収容する上面開口部を有する箱本体及び前記開口部を塞ぐ蓋体とからなる圧縮収納箱であって、
前記箱本体が、平面視矩形の底板体、該底板体の左右辺から連続し、該左右辺からそれぞれ折り曲げ可能な、立起状態で側面視矩形の左右側板体、前記底板体の前後辺から連続し、該前後辺からそれぞれ折り曲げ可能な、立起状態で正面視矩形の前後側板体と、前記左右側板体の側辺及び前後側板体の側辺を、着脱可能に接続する着脱手段とからなり、
前記箱本体の底板体に内側から添う保形性底板、該底板の左右辺から連続し、該左右辺からそれぞれ折り曲げ可能な、前記箱本体の左右側板体に内側から添う保形性左右側板とからなる支持板と、
前記圧縮式収納袋の袋本体の底面を平坦に保持した状態で前記支持板に取り付ける取付手段と、
を備えたものである。
【０００８】
ここで、取付手段が、圧縮式収納袋の袋本体の底面の中央部に、取付シートを重ね合わせ、左右辺を開放した状態で、前後辺に沿って止着されたものとする方が好ましい。
【０００９】
また、着脱手段が、箱体の前記左右側板体の側辺及び前後側板体の側辺を、面ファスナーにて着脱自在とされたものである方が好ましい。
【００１０】
本考案に係る圧縮収納箱は、前記課題解決のために、
上部を開閉可能とし、底面が平坦な立体的な袋本体を吸引によって圧縮可能な圧縮式収納袋並びに該収納袋を収容する上面開口部を有する箱本体及び前記開口部を塞ぐ蓋体とからなる圧縮収納箱であって、
前記箱本体が、平面視矩形の底板体、該底板体の左右辺から連続し、該左右辺からそれぞれ折り曲げ可能な、立起状態で側面視矩形の左右側板体、前記底板体の前後辺から連続し、該前後辺からそれぞれ折り曲げ可能な、立起状態で正面視矩形の前後側板体と、前記左右側板体の側辺及び前後側板体の側辺を、着脱可能に接続する着脱手段とからなり、
前記箱本体の底板体に内側から添う保形性底板、該底板の左右辺から連続し、該左右辺からそれぞれ折り曲げ可能な、前記箱本体の左右側板体に内側から添う保形性左右側板とからなる支持板と、
前記圧縮式収納袋の袋本体の底面を平坦に保持した状態で前記支持板に取り付ける取付手段と、
圧縮式収納袋の袋本体の底面に取付手段にて取り付けられた支持板の保形性左右側板を、箱本体の左右側板体に取り付ける保持手段と、
を備えたものである。
【００１１】
ここで、箱本体の底板体と左右側板体に可撓性シート体を用い、前後側板体に保形性板体を用いる方が好ましい。
【００１２】
また、取付手段が、圧縮式収納袋の袋本体の底面の中央部に、取付シートを重ね合わせ、左右辺を開放した状態で、前後辺に沿って止着されたものである方が好ましい。
【００１３】
ここで、着脱手段が、箱体の左右側板体の側辺及び前後側板体の側辺を、面ファスナーにて着脱自在とされたものの方が好ましい。
【００１４】
また、保持手段が、箱本体の左右側板体内面に合わせて、保持シートを重ね合わせ、左右辺以外の周囲を止着することにより、支持板の左右側板体を収納可能な、袋部としてなるものである方が好ましい。
【考案の効果】
【００１５】
本考案に係る請求項１記載の圧縮収納箱によれば、圧縮式収納袋を箱本体内にセットするための支持板を、箱本体底面に設けられた取付手段に対して、取り付けや取り外しを行うことができるため、圧縮式収納袋が破けた場合には、圧縮式収納袋だけを交換することができるので、経済的である。
【００１６】
更に、かかる圧縮収納箱によれば、展開した箱本体内に圧縮式収納袋をセットした後、圧縮式収納袋内に布団などの収納品を収納し、箱本体の左右側板体、前後側板体を、収納品に押し当てて収納品の形を整えながら、立起させて箱状とし、着脱手段にて固定保持することができる。
そして、圧縮式収納袋のチャックを閉じ、例えば、吸引バルブに掃除機の吸込みノズルをあてがって吸引すると、箱本体の形にあわせて布団などの収納品が圧縮され、コンパクトな状態となる。その後、箱本体に対して蓋体を閉じ、この状態で、押入れなどで保管することができる。
【００１７】
また、取付手段が、圧縮式収納袋の袋本体の底面の中央部に、取付シートを重ね合わせ、左右辺を開放した状態で、前後辺に沿って止着されたものを用いれば、取付シートに対して、支持板を挿入したり、抜き取るだけで、簡単に、支持板の取り付け、取り外しを行うことができる。
【００１８】
更に、着脱手段が、箱体の前記左右側板体の側辺及び前後側板体の側辺を、面ファスナーにて着脱自在とされたものを用いれば、箱本体の箱の展開、組み立てを、面ファスナーにて、ワンタッチで簡単に行うことができる。
【００１９】
本考案に係る請求項４記載の圧縮収納箱によれば、請求項１記載の圧縮収納箱による効果に加えて、支持板の保形性左右側板が、保持手段にて、箱本体の左右側板体に固定保持されているので、圧縮式収納袋が箱本体内でずれることがなく、均等な圧縮を行うことができる。
【００２０】
更に、箱本体の底板体と左右側板体に可撓性シート体を用い、前後側板体に保形性板体を用いれば、全てに保形性の板体を用いる場合に比べて、費用を安価にすることができ、しかも、箱本体の底板体と左右側板体に添って保形性を有する支持板が位置するので、箱全体の保形性は維持される。また、底板体と左右側板体に、可撓性シートを用いることにより、伸縮性が生じ、支持板の保形性左右側板を、保持手段の袋部内への挿入、取り外しが行い易い。
【００２１】
また、保持手段が、箱本体の左右側板体内面に合わせて、保持シートを重ね合わせ、左右辺以外の周囲を止着することにより、支持板の左右側板体を収納可能な、袋部としてなるものを用いれば、支持板の保形性左右側板が、保持手段の袋部の開口部から挿入されて、袋部内に位置させた状態で固定保持されるので、圧縮式収納袋が箱本体内でずれることがなく、均等な圧縮を行うことができる。
【図面の簡単な説明】
【００２２】
【図１】本考案の実施の形態に係る圧縮収納箱を示す分解斜視図である。
【図２】同じく箱本体に圧縮式収納袋を取り付ける前の分解斜視図である。
【図３】同じく箱本体に圧縮式収納袋を取り付けた状態を示す斜視図である。
【図４】圧縮式収納袋を底面方向から見た斜視図である。
【図５】圧縮式収納袋を持ち上げた状態の斜視図である。
【図６】他の実施の形態に係る圧縮式収納袋を底面方向から見た斜視図である。
【考案を実施するための形態】
【００２３】
次に本考案の実施の形態を添付図面に基づき詳細に説明するが、本考案は、添付図面に示された形態に限定されず特許請求の範囲に記載の要件を満たす実施形態の全てを含むものである。
なお、本明細書においては、図１〜図３に示すように、直方体の圧縮収納箱Ａの長手方向を左右方向とし、圧縮収納箱Ａの短手方向を前後方向とし、圧縮収納箱Ａの正面を前面とする。
【００２４】
以下において、本考案の実施の形態に係る圧縮収納箱の例を、図１から図５を参照して説明する。
圧縮収納箱Ａは、図１及び図２に示すように、圧縮式収納袋１と、箱本体２と、蓋体３とからなり、着脱手段４と、支持板５と、取付手段６と、保持手段７とを備えたものである。
【００２５】
圧縮式収納袋１は、透明な合成樹脂製シートでできた、底面８が平坦な立体的な袋本体９の上部に、チャック１０を設けて開閉可能とし、袋本体９の正面中央に単一方向の吸引バルブ１１を設けたものである。
圧縮式収納袋１には、図４に示すように、袋本体９の平坦な底面８の中央部に、矩形状の合成樹脂製の取付シート１２を重ね合わせ、左右辺１２ａ, １２ａを開放した状態で、前後辺１２ｂ, １２ｂに沿って熱シールして構成した取付手段６が設けられており、支持板５を挿入して取り付けると、図２の如く、支持板５の両端部を突出させた状態で取り付けることができる。
即ち、圧縮式収納袋１は、袋本体９の上部を持ち上げた状態では、図５に示すように、袋本体底面８が逆Ｖ字状に垂れ下がり、その垂れ下がった底面８の先端と、Ｕ字状の取付シート１２の先端が熱シールにて止着されており、袋本体底面８を広げると、図４に示すように、袋本体底面８と取付シート１２が平坦な状態となる。
なお、図４の取付手段６では、一枚の取付シート１２が用いられているが、図６に示すように、帯状の取付シート１２を二枚（三枚以上の複数枚であってもよい）離間して設けてもよく、また、取付シート１２を袋本体９に接着剤などで止着してもよく、更に、取付手段６として、面ファスナーやホックなどを用いることもできる。
【００２６】
箱本体２は、図１に示すように、前記圧縮式収納袋１を収容する上面開口部を有する箱体であり、展開すると、図２に示すように、平面視矩形の底板体１３、該底板体１３の左右辺１３ａ, １３ａから連続し、該左右辺１３ａ, １３ａからそれぞれ折り曲げ可能な、立起状態で側面視矩形の左右側板体１４,１４、前記底板体１３の前後辺１３ｂ, １３ｂから連続し、該前後辺１３ｂ, １３ｂからそれぞれ折り曲げ可能な、立起状態で正面視矩形の前後側板体１５,１５と、前記左右側板体１４,１４の側辺及び前後側板体１５,１５の側辺を、着脱可能に接続する着脱手段４とからなるものである。
更に、箱本体２の正面と背面には、図１に示すように、バックルユニットの雄部１６ａ, １６ａや取手２３が設けられている。
特に、図例の箱本体２では、底板体１３と左右側板体１４,１４に、不織布でできた可撓性シートが用いられ、前後側板体１５,１５には、厚紙の板体を不織布の可撓性シートで包んだ保形性の板体が用いられている。
ここで、箱本体２の底板体１３と左右側板体１４,１４にも保形性の板体を用いることができるが、あえて、不織布の可撓性シートを用いているのは、可撓性シートの柔軟性によって、支持板５の取り付け、取り外しを容易に行うことができ、また、コストを下げることもできるからである。
【００２７】
また、図例の箱本体２では、左右側板体１４,１４内面に合わせて、不織布の可撓性シートを用いた保持シート１７を重ね合わせ、左右辺１３ａ, １３ａ以外の周囲を縫着して止着されており、支持板５の保形性左右側板体を収納可能な袋部とした保持手段７が設けられている。
なお、保持手段７は、支持板５の保形性左右側板を挿入して保持できればよく、例えば、帯状の保持シート１７を１枚又は複数枚用いてもよく（図６のように）、また、保持手段７として、面ファスナーやホックを用いることも可能である。
【００２８】
更に、図例の箱本体２では、図２に示すように、前後側板体１５,１５の両側辺に沿って折曲片１９が設けられており、該折曲片１９の外面と、保持手段７の保持シート１７内面の両側に、面ファスナーの一方２０ａと他方２０ｂを設けて、着脱手段４としている。
なお、着脱手段４は、図例のものに限らず、面ファスナーを適所に設けたものであってもよく、また、面ファスナーの代わりに、紐やホックを用いることもできる。
【００２９】
支持板５は、図２の如く、前記箱本体２の底板体１３に内側から添う保形性底板２１、該底板２１の左右辺２１ａ, ２１ａから連続し、該左右辺２１ａ, ２１ａからそれぞれ折り曲げ可能な、前記箱本体２の左右側板体１４,１４に添う保形性左右側板２２,２２とからなり、広げると、圧縮式収納袋１の袋本体９の平坦な底面８より長く設定されている。この支持板５には、厚紙の板体を不織布で包んだ板が用いられているが、合成樹脂製のシートなどを用いることもできる。
【００３０】
蓋体３は、図１に示すように、前記箱本体２の開口部を塞ぐ、下面を開口した四角形の箱体であり、全体が保形性の板体でできており、正面と背面には、バックルユニットの雌部１６ｂ，１６ｂが設けられている。
このように、保形性の板体でできた蓋体３を用いることにより、圧縮収納箱Ａを上下に積み重ねることも可能となる。
【００３１】
なお、図例の箱本体２では、保形性の板体が用いられた支持板５が、内面に添って位置させた時に保形性を確保できるため、箱本体２の底板体１３と左右側板体１４,１４に、不織布の可撓性シートを用いているが、該底板体１３と左右側板体１４,１４にも、保形性板体を用いてもよい。また、全ての側板に、可撓性シート体を用いることも可能であり、或いは、可撓性シート体と保形性板体を適宜組み合わせることも可能である。
【００３２】
また、上述した圧縮収納箱Ａでは、保持手段７を設けているが、特に保持手段７を設けなくても、支持板５を、箱本体２内に位置させた状態で、使用することも可能である。
【００３３】
次に、圧縮収納箱Ａの使用の仕方について説明する。例えば、図２の如く、圧縮式収納袋１の底面８を広げて平坦な状態とし、この底面８と取付手段６の取付シート１２の隙間に、真っ直ぐな状態の支持板５を挿入し、図中２点鎖線で示したように、両端を突出された状態で、支持板５を取り付ける。
更に、箱本体２を、展開した状態で、左右側板体１４,１４内面に設けられた、保持手段７の袋部の開口部１８,１８から、支持板５の保形性左右側板２２,２２を挿入して袋部内に位置させて保持することができる。
その後、圧縮式収納袋１内に布団などの収納品を収納した後、箱本体２の左右側板体１４,１４、前後側板体１５,１５を、収納品に押しあてて収納品の形を整えながら、立起させて箱状とし、着脱手段４の面ファスナー２０ａ，２０ｂにて固定保持する。
更に、圧縮式収納袋１のチャック１０を閉じ、吸引バルブ１１に掃除機の吸込みノズルをあてがって吸引すると、箱本体２の形にあわせて布団などの収納品が圧縮され、コンパクトな状態となる。その後、箱本体２に対して蓋体３を閉じ、バックルユニットの雄部１６ａと雌部１６ｂを結んで固定することができ、この状態で、押入れなどで保管することができる。
なお、上述した圧縮式収納袋１では、袋本体９内を吸引して圧縮するために、吸引バルブ１１を設けているが、特に、吸引バルブ１１を設けなくても、チャック１０をほぼ閉じた状態とし、僅かな開口部から、掃除機の吸込みノズルを挿入して、袋本体９内を吸引して圧縮した後、チャック１０を完全に閉めて、圧縮状態に保持することも可能である。
【００３４】
また、布団などの収納品を使用する場合には、蓋体３を開いた後、圧縮式収納袋１のチャック１０を開けると、袋本体９内に空気が入り、収納品が膨らんで元の状態となり、収納品を取り出すことができる。この時、着脱手段４にて箱本体２を展開した状態で行えば、収納品の取り出しが行い易い。
【００３５】
最後に、圧縮収納箱Ａを使用しない場合は、箱本体２の保持手段７の袋部の開口部１８,１８から支持板５の保形性左右側板２２,２２を抜き取って、圧縮式収納袋１を箱本体２から取り外し、更に、袋本体９の底面８の取付シート１２から支持板５を抜き取ることにより、圧縮式収納袋１、箱本体２、支持板５、圧縮式収納袋１、蓋体３に分解することができる。そして、これらの部品をそれぞれ折り畳んで、コンパクトな状態で保管することができる。
【００３６】
このように、圧縮収納箱Ａによれば、圧縮式収納袋１を箱本体２内にセットするための支持板５を、箱本体底面８の取付手段６の取付シート１２に対して、取り付けや取り外しを行うことができる。そのため、圧縮式収納袋１が破けた場合には、圧縮式収納袋１だけを交換することができるので、経済的である。
しかも、袋本体底面８の取付シート１２に対して、支持板５を挿入したり、抜き取るだけで行うことができるので、作業が簡単である。
【００３７】
また、圧縮収納箱Ａによれば、面ファスナー２０ａ, ２０ｂを用いた着脱手段４にて、箱本体２の箱の展開、組み立てを簡単に行うことができる。例えば、展開した箱本体２内に圧縮式収納袋１をセットした後、圧縮式収納袋１内に布団などの収納品を収納し、箱本体２の左右側板体１４,１４、前後側板体１５,１５を、布団などの収納品に押し当てて収納品の形を整えながら立起させて箱状とし、面ファスナー２０ａ，２０ｂを用いた着脱手段４にて固定保持することができるので、布団などの収納品を箱本体２の形に合わせて整えながら、収納品を均等に圧縮することができる。
【００３８】
更に、支持板５の保形性左右側板２２,２２が、保持手段７の袋部の開口部１８から挿入されて、袋部内に位置させた状態で固定保持されているので、収納品を圧縮する場合に、圧縮式収納袋１が箱本体２内でずれることがなく、均等な圧縮を行うことができる。
【００３９】
また、圧縮収納箱Ａによれば、箱本体２の底板体１３と左右側板体１４,１４に可撓性シートが用いられているので、全てに保形性の板体を用いる場合に比べて、費用を安価にすることができる。しかも、箱本体２の底板体１３と左右側板体１４,１４に添って保形性を有する支持板５が位置するので、箱全体の保形性は維持される。
更に、底板体１３と左右側板体１４,１４に、可撓性シートを用いることにより、伸縮性が生じ、支持板５の保形性左右側板２２,２２を、保持手段７の袋部内への挿入、取り外しが行い易い。
【符号の説明】
【００４０】
Ａ  圧縮収納箱
１  圧縮式収納袋
２  箱本体
３  蓋体
４  着脱手段
５  支持板
６  取付手段
７  保持手段
８  底面
９  袋本体
１０  チャック
１１  吸引バルブ
１２  取付シート
１３  底板体
１４  左右側板体
１５  前後側板体
１６ａ  バックルユニットの雄部
１６ｂ  バックルユニットの雌部
１７  保持シート
１８  袋部の開口部
１９  折曲部
２０  面ファスナー
２１  保形性底体
２２  保形性左右側体
２３  取手
【図１】
0003153067.tif 000003
【図２】
0003153067.tif 000004
【図３】
0003153067.tif 000005
【図４】
0003153067.tif 000006
【図５】
0003153067.tif 000007
【図６】
0003153067.tif 000008